(57)【要約】      （修正有）【課題】一人でも安全かつ容易に開閉可能な開閉式バルコニー用パーティションの取付構造を提供する。【解決手段】開閉式バルコニー用パーティションの取付構造は、集合住宅のバルコニーの建物躯体壁１１と手摺壁１２との間に設置される。また、パーティション２は、上枠２ａ、下枠２ｂ、左右一対の左縦枠２ｃ、右縦枠２ｄを備えた開口部を有する枠体、およびこの開口部を塞ぐ固定面材２ｆからなる。さらに、一端が右縦枠２ｄに、他端が建物躯体壁１１にそれぞれ取り付けられ、パーティション２を開閉するためのトルクヒンジ４と、手摺壁１２に取付られた取付ベース部材７と、この取付ベース部材７に回動可能に取付けられ、取付ベース部材７から前記枠体側に回動した状態でパーティション２に掛止してパーティション２の回動を阻止する掛止部材６とを備えた、パーティション２を開閉可能にロックするための固定金具と、を備える。【選択図】図１
0003177215.tif 000002
【実用新案登録請求の範囲】
【請求項１】
集合住宅のバルコニーの建物躯体壁と手摺壁との間に設置された開閉式バルコニー用パーティションの取付構造であって、
上枠、下枠、左右一対の縦枠を少なくとも備えた開口部を有する枠体、および前記開口部を塞ぐ固定面材からなるパーティションと、
一端が前記左右の縦枠の一方に、他端が建物躯体壁および手摺壁のいずれか一方にそれぞれ取り付けられ、前記パーティションを開閉するためのトルクヒンジと、
前記建物躯体壁および手摺壁の他方に取付られた取付ベース部材と、この取付ベース部材に回動可能に取付けられ、取付ベース部材から前記枠体側に回動した状態で前記パーティションに掛止して前記パーティションの回動を阻止する掛止部材とを備えた、前記パーティションを開閉可能にロックするための固定金具と、を備えることを特徴とする開閉式バルコニー用パーティションの取付構造。
【請求項２】
前記固定金具は、前記掛止部材を前記パーティションの掛止状態で固定保持するためのイタズラ防止螺子を備えた請求項１に記載の開閉式バルコニー用パーティションの取付構造。
【請求項３】
前記パーティションの側面に一部が固定され、他の部位が前記パーティションから隔間をもって離隔した押え板と、両端が前記パーティションの両側から突出した引き抜き片を有する板体の片面に、前記パーティションを両側から挟着し、かつパーティションの開閉方向への力で割れて前記板体から分離する突片を有する引き抜き割れ板とを備え、前記板体の中央部が前記押え板と前記パーティションとの隙間に挿入され、前記掛止部材に載置された請求項１に記載の開閉式バルコニー用パーティションの取付構造。
【請求項４】
前記パーティションが開くと作動する警報手段を備えた請求項１〜３のいずれかに記載の開閉式バルコニー用パーティションの取付構造。
【考案の詳細な説明】
【技術分野】
【０００１】
本考案は、マンション等の集合住宅のバルコニーに隣家との間仕切りや目隠し等として用いられる開閉式バルコニー用パーティションの取付構造に関する。
【背景技術】
【０００２】
マンション等の集合住宅のバルコニーに隣家との間仕切りや目隠し等として用いられる回動開閉可能な全面開閉パーティションの取付構造として、特許文献１には、図９に示すように、左縦枠１０１ａ、右縦枠１０１ｂ、上枠１０１ｃ、下枠１０１ｄ及び中桟１０１ｅからなる金属製の周枠１０１と、この周枠１０１に嵌め込まれたボード本体１０２，１０３とによって構成された全面開閉パーティション１００の左縦枠１０１ａを蝶番１０４によってベランダ等の手摺り１０５側に枢着し、右縦枠１０１ｂに取り付けた固定具１０６によって右縦枠１０１ｂを建物躯体壁１０７側に着脱可能に固定し、この固定具１０６を建物躯体壁１０７から取り外して右縦枠１０１ｂの固定を解放することによって、左縦枠１０１ａの蝶番１０４を中心に回動開閉可能とし、全面開閉パーティション１００は左縦枠１０１ａを蝶番１０４の取付板に対して手摺り側に近づく方向にスライド可能に取り付けてなる全面開閉パーティションの取付構造が開示されている。
【０００３】
しかしながら、全面開閉パーティション１００をスライドなどさせて、全面開閉パーティション１００を安全に開閉するには、複数の作業員が必要であるなど手間がかかる。
【先行技術文献】
【特許文献】
【０００４】
【特許文献１】特開２００２−３６４０６４号公報
【考案の概要】
【考案が解決しようとする課題】
【０００５】
そこで、本考案の課題は、一人でも安全かつ容易に開閉可能な開閉式バルコニー用パーティションの取付構造を提供することにある。
【課題を解決するための手段】
【０００６】
本考案者は、上記課題を解決すべく鋭意検討を重ねた結果、上記課題を解決する手段を見出し、本考案を完成するに至った。
すなわち、本考案は、以下の構成からなる。
（１）集合住宅のバルコニーの建物躯体壁と手摺壁との間に設置された開閉式バルコニー用パーティションの取付構造であって、上枠、下枠、左右一対の縦枠を少なくとも備えた開口部を有する枠体、および前記開口部を塞ぐ固定面材からなるパーティションと、一端が前記左右の縦枠の一方に、他端が建物躯体壁および手摺壁のいずれか一方にそれぞれ取り付けられ、前記パーティションを開閉するためのトルクヒンジと、前記建物躯体壁および手摺壁の他方に取付られた取付ベース部材と、この取付ベース部材に回動可能に取付けられ、取付ベース部材から前記枠体側に回動した状態で前記パーティションに掛止して前記パーティションの回動を阻止する掛止部材とを備えた、前記パーティションを開閉可能にロックするための固定金具と、を備えることを特徴とする開閉式バルコニー用パーティションの取付構造。
（２）前記固定金具は、前記掛止部材を前記パーティションの掛止状態で固定保持するためのイタズラ防止螺子を備えた前記（１）に記載の開閉式バルコニー用パーティションの取付構造。
（３）前記パーティションの側面に一部が固定され、他の部位が前記パーティションから隔間をもって離隔した押え板と、両端が前記パーティションの両側から突出した引き抜き片を有する板体の片面に、前記パーティションを両側から挟着し、かつパーティションの開閉方向への力で割れて前記板体から分離する突片を有する引き抜き割れ板とを備え、前記板体の中央部が前記押え板と前記パーティションとの隙間に挿入され、前記掛止部材に載置された前記（１）に記載の開閉式バルコニー用パーティションの取付構造。
（４）前記パーティションが開くと作動する警報手段を備えた前記（１）〜（３）のいずれかに記載の開閉式バルコニー用パーティションの取付構造。
【考案の効果】
【０００７】
本考案によれば、一人でも安全かつ容易にパーティションを開閉できる。
【図面の簡単な説明】
【０００８】
【図１】（ａ）は、本考案の開閉式バルコニー用パーティションの取付構造の一実施形態であるパーティション取付構造１のパーティション２を閉じた状態を示す正面図であり、（ｂ）は、引き抜き割れ板１０を取り除いて、パーティション２を正面手前側に開いた状態のパーティション取付構造１を示す正面図である。
【図２】（ａ）は取付金具３の正面図であり、（ｂ）は（ａ）中のＸ方向からみた取付金具３の側面図であり、（ｃ）は（ａ）中のＹ方向からみた取付金具３の側面図である。
【図３】（ａ）は掛止部材６を下げた状態の固定金具５の正面図であり、（ｂ）は（ａ）中のＸ方向からみた掛止部材６を下げた状態の固定金具５の側面図であり、（ｃ）は（ａ）中のＹ方向からみた掛止部材６を下げた状態の固定金具５の側面図である。
【図４】（ａ）は掛止部材６を上げた状態の固定金具５の正面図であり、（ｂ）は（ａ）中のＸ方向からみた掛止部材６を上げた状態の固定金具５の上面図であり、（ｃ）は（ａ）中のＹ方向からみた掛止部材６を上げた状態の固定金具５の側面図である。
【図５】（ａ）は押え板９の正面図であり、（ｂ）は（ａ）中のＸ方向からみた押え板９の側面図であり、（ｃ）は（ａ）中のＹ方向からみた押え板９の側面図である。
【図６】（ａ）は引き抜き割れ板１０の正面図であり、（ｂ）は（ａ）中のＸ方向からみた引き抜き割れ板１０の側面図であり、（ｃ）は（ａ）中のＹ方向からみた引き抜き割れ板１０の側面図である。
【図７】（ａ）は、固定金具５、押え板９および引き抜き割れ板１０を、左縦枠２ｃ，手摺１２に設置したパーティションロック機構の一使用態様を示す正面図であり、（ｂ）は（ａ）中のＸ方向からみたこのパーティションロック機構を示す上面図であり、（ｃ）は（ａ）中のＹ方向からみたこのパーティションロック機構を示す側面図（左縦枠２ｃを除く。）である。
【図８】掛止部材６による左縦枠２ｃの掛止を解除した図７に示すパーティションロック機構の一使用態様を示す正面図である。
【図９】従来の回動開閉可能なパーティションの取付構造の概略正面図である。
【考案を実施するための形態】
【０００９】
以下、本考案の開閉式バルコニー用パーティションの取付構造の一実施形態について、図面を参照して詳細に説明する。なお、本考案の開閉式バルコニー用パーティションの取付構造は、低層ないし中層マンションに好適に設置される。
【００１０】
＜パーティション取付構造１＞
図１（ａ）は、本考案の開閉式バルコニー用パーティションの取付構造の一実施形態であるパーティション取付構造１のパーティション２を閉じた状態を示す正面図であり、図１（ｂ）は、引き抜き割れ板１０を取り除いて、パーティション２を正面手前側に開いた状態のパーティション取付構造１を示す正面図である。
【００１１】
パーティション取付構造１は、図１（ａ）に示すように、上枠２ａ、下枠２ｂ、左右一対の左縦枠２ｃおよび右縦枠２ｄを含み、左縦枠２ｃおよび右縦枠２ｄに架設した中桟２ｅによって開口部を有する枠体、並びにこの枠体の開口部に嵌め込まれた固定面材２ｆからなるパーティション２と、取付金具３と、トルクヒンジ４と、掛止部材６および取付ベース部材７からなる固定金具５と、押え板９と、引き抜き割れ板１０とから構成される。
【００１２】
取付金具３は、建物躯体壁１１に固定されている。
パーティション２と取付金具３とは、一端が右縦枠２ｄに、他方が取付金具３にそれぞれ取り付けられたトルクヒンジ４により接続されている。これにより、図１（ｂ）に示すように、掛止部材６がパーティション２を掛止しない状態にすることで、パーティション２は右縦枠２ｄを回動中心として正面手前側に片開き可能となる。
取付ベース部材７は、図１（ａ）に示すように、手摺１２に固定されている。
押え板９は、図１（ａ）に示すように、パーティション２の左縦枠２ｃの側面に一部が固定され、押え板９と左縦枠２ｃとの隙間に挿入され、掛止部材６に載置された引き抜き割れ板１０を制止させている。
このように、パーティション取付構造１は、集合住宅のバルコニーの建物躯体壁１１と手摺壁１２との間に設置されている。
【００１３】
（取付金具３）
図２（ａ）は取付金具３の正面図であり、図２（ｂ）は図２（ａ）中のＸ方向からみた取付金具３の側面図であり、図２（ｃ）は図２（ａ）中のＹ方向からみた取付金具３の側面図である。
【００１４】
取付金具３は、図２に示すように建物躯体壁１１と当接する壁当接部３ａと、トルクヒンジ４と当接するヒンジ当接部３ｂとを有するＬ字型金具であり、取付金具３を公知の螺子と建物躯体壁１１とで挟着固定させるための建物躯体壁取付用穴３ｃと、取付金具３を公知の螺子とトルクヒンジ４とで挟着固定させるためのトルクヒンジ取付用穴３ｄとを有する。
なお、パーティション取付構造１では、取付金具３を用いたが、本考案ではこれに限定されず、取付金具３を用いなくてもよいし、取付金具を手摺１２に固定させる場合は、物躯体壁取付用穴３ｃに代えて、手摺取付に適した取付穴を有する取付金具を適宜選択すればよい。
【００１５】
（トルクヒンジ４）
トルクヒンジ４としては、市販のものを用いることができ、例えば、タキゲン製造（株）製の「Ｂ−１２０９−１」などが挙げられる。
パーティション取付構造１では、パーティション２が正面手前側に片開きするようにトルクヒンジ４を設置したが、パーティション２が正面奥側に片開きするようにトルクヒンジ４を設置してもよい。なお、例えば、壁面と蝶番軸心までの寸法が３３ｍｍである場合、右縦枠２ｄのパーティション２の開閉方向の厚みを３０ｍｍ以下とすればパーティション２を両開きすることができ、パーティション２が両開きするようにしてもよい。
【００１６】
（固定金具５）
図３（ａ）は掛止部材６を下げた状態の固定金具５の正面図であり、図３（ｂ）は図３（ａ）中のＸ方向からみた掛止部材６を下げた状態の固定金具５の側面図であり、図３（ｃ）は図３（ａ）中のＹ方向からみた掛止部材６を下げた状態の固定金具５の側面図である。図４（ａ）は掛止部材６を上げた状態の固定金具５の正面図であり、図４（ｂ）は図４（ａ）中のＸ方向からみた掛止部材６を上げた状態の固定金具５の側面図であり、図４（ｃ）は図４（ａ）中のＹ方向からみた掛止部材６を上げた状態の固定金具５の側面図である。
【００１７】
固定金具５は、掛止部材６と取付ベース部材７とが連結螺子８により連結され、図３、図４に示すように、掛止部材６が連結螺子８を支点として上下方向に略９０℃回動可能である。
【００１８】
掛止部材６は、図３、４に示すように、取付ベース部材７と連結可能な掛止部材本体部６ａと、パーティション２を挟み込んで掛止する掛止部６ｂと、掛止部材６を回動させる際に把持できるフランジ部６ｃとを有する。掛止部６ｂの間隔Ａは、パーティション２を挟み込んで掛止できる間隔であれば特に限定されない。また、例えば、掛止部６ｂに、一定の強度を保持しながら、軽量化することを目的として、肉抜き穴を設けてもよい。
取付ベース部材７は、溝形の本体に、取付ベース部材７を公知の螺子と手摺壁１２とで挟着固定させるための取付穴７ａと、螺子を螺子の軸と掛止部材本体部６ａとが当接するまで螺入させて掛止部材６の回動動作を制御し、パーティション２をロックするための螺子孔７ｂと、螺子を螺着させて螺子を常備するための螺子孔７ｃと、図４（ａ）に示すように、固定金具５の掛止部材６を上げた状態にした際にフランジ部６ｃの一部が収まり、掛止部材６を上げた状態で保持できる固定溝７ｄとを有する。
【００１９】
螺子孔７ｂ，７ｃに螺入する螺子としては、特に限定されないが、通常のプラスドライバやマイナスドライバ以外の異形溝を有し、専用工具以外では嵌入できない溝を頭部に有するイタズラ防止螺子が好ましい。これにより、例えば、補修工事を施工期間中の夜間や休日などの作業休止中は、イタズラ防止螺子を螺子孔７ｂに螺入してパーティション２をロックし、作業再開時に螺子孔７ｂからイタズラ防止螺子を抜いてパーティション２のロックを解除し、作業中は螺子孔７ｃに螺着させておくことで、補修工事を作業休止中の防犯対策を容易にすることができ、補修工事の施工効率を向上させることができる。また、補修工事の施工終了後に、イタズラ防止螺子を螺子孔７ｃに螺着させておけば、イタズラ防止螺子の紛失を防ぐことができ、次回の補修工事の施工の際もイタズラ防止螺子を利用できる。
【００２０】
（押え板９）
図５（ａ）は押え板９の正面図であり、図５（ｂ）は図５（ａ）中のＸ方向からみた押え板９の側面図であり、図５（ｃ）は図５（ａ）中のＹ方向からみた押え板９の側面図である。
【００２１】
押え板９は、図５に示すように、パーティション２の縦枠２ｃの側面に固定される押え板本体部９ａと、板本体部９ａがパーティション２の縦枠２ｃの側面に固定された際に縦枠２ｃとの間に隙間Ｂを形成する押止部９ｂと、押え板９を公知の螺子からなる取付螺子と左縦枠２ｃとで挟着固定させるための取付穴９ｃとを有する。隙間Ｂは、図１（ａ）に示すように、引き抜き割れ板１０を制止できれば、特に限定されない。
【００２２】
（引き抜き割れ板１０）
図６（ａ）は引き抜き割れ板１０の正面図であり、図６（ｂ）は図６（ａ）中のＸ方向からみた引き抜き割れ板１０の側面図であり、図６（ｃ）は図６（ａ）中のＹ方向からみた引き抜き割れ板１０の側面図である。
【００２３】
引き抜き割れ板１０は、図６に示すように、引き抜き片部１０ａを有する板体本体１０ｂと、この板体本体１０ｂの片面に設けられた突片部１０ｃと、この突片部１０ｃに設けられ、パーティション２を両側から挟着する挟着部１０ｄと、パーティション２の開閉方向への力で突片部１０ｃを板体本体１０ｂから分離しやすくする切欠溝１０ｅと、指穴１０ｆとを有する。幅Ｃは、パーティション２を両側から挟着できる幅であれば特に限定されない。
引き抜き割れ板１０の材質としては、例えば、アクリル樹脂などが挙げられる。
【００２４】
図７（ａ）は、固定金具５、押え板９および引き抜き割れ板１０を、左縦枠２ｃ，手摺壁１２に設置したパーティションロック機構の一使用態様を示す正面図であり、図７（ｂ）は図７（ａ）中のＸ方向からみたこのパーティションロック機構を示す上面図であり、図７（ｃ）は図７（ａ）中のＹ方向からみたこのパーティションロック機構を示す側面図（左縦枠２ｃを除く。）である。図８は、掛止部材６による左縦枠２ｃの掛止を解除したパーティションロック機構の一使用態様を示す正面図である。
なお、図７（ａ）、（ｃ）では、引き抜き割れ板１０が掛止部材６に載置していない状態であるが、本考案では、引き抜き割れ板１０が掛止部材６に載置した状態となる場合もあり、以下、引き抜き割れ板１０が掛止部材６に載置した状態となる場合についてのドアロック機構の主な使用態様について説明するが、本考案はこれに限定されるものではない。
【００２５】
（ドアロック機構の第１の使用態様）
パーティション２をロック状態とするには、掛止部材６を下げてパーティション２を掛止した後、引き抜き割れ板１０を掛止部材６に載置させ、図７（ｃ）に示すように、板体本体１０ｂが押止部９ｂに押止されるように押え板９を取付螺子１３と左縦枠２ｃとで挟着固定させて、板体１０ａの中央部が押え板９とパーティション２との隙間に挿入されるようにして引き抜き割れ板１０を設置すればよい。これにより、掛止部材６の回動動作が制御され、掛止部材６がパーティション２を掛止した状態、すなわちパーティション２がロックされた状態でパーティション２は保持される。なお、図７に示すドアロック機構では、取付ベース部材７の螺子孔７ｂにイタズラ防止螺子１４が螺着されているが、この使用態様では、螺子孔７ｂにはイタズラ防止螺子１４は螺着されず、螺子孔７ｃのみにイタズラ防止螺子１４が螺着される。
【００２６】
このパーティション２のロック状態を解除するには、例えば、パーティション２の両側から突出している引き抜き片部１０ａの指穴１０ｆに指をかけてパーティション２の開閉方向への引っ張ることで、切欠溝１０ｅから突片部１０ｃを折損させて、すなわち板体本体１０ｂから突片部１０ｃを分離させて、引き抜き割れ板１０を抜き出し、掛止部材６を回動させて、パーティション２が掛止部材６に掛止されている状態を解けばよい。
【００２７】
このようなパーティションロック機構とすることで、普段はパーティション２をロックした状態にしておき、例えば、火災などの緊急を要する不測の事態時では、固定面材２ｆを破壊する力のない人でも、螺子のパーティション２のロック状態を迅速かつ容易に解除し、安全に隣家へ避難することができ、また、バルコニーの補修工事の際に、バルコニーを安全かつ容易に作業用通路とすることができるため、補修工事の施工効率を向上させることができる。
【００２８】
（ドアロック機構の第２の使用態様）
パーティション２をロック状態とするには、掛止部材６を下げてパーティション２を掛止した後、取付ベース部材７の螺子孔７ｂに、イタズラ防止螺子１４を、イタズラ防止螺子１４の螺子の軸と掛止部材本体部６ａとが当接するように螺入すればよい。これにより、掛止部材６の回動動作が制御され、掛止部材６がパーティション２を掛止した状態、すなわちパーティション２がロックされた状態でパーティション２は保持される。なお、図６に示すドアロック機構では、引き抜き割れ板１０を用いているが、この使用態様では、引き抜き割れ板１０を用いない。
【００２９】
このパーティション２のロック状態を解除するには、例えば、イタズラ防止螺子１４をイタズラ防止螺子１４の螺子の軸と掛止部材本体部６ａとが当接しなくなるまで、すなわち掛止部材６が回動可能となるまで緩め、掛止部材６を回動させて、パーティション２が掛止部材６に掛止されている状態を解けばよい。
【００３０】
このようなドアロック機構の使用態様とすることで、普段はパーティション２をロックした状態にしておき、バルコニーの補修工事の際に、バルコニーを安全かつ容易に作業用通路とすることができるため、補修工事の施工効率を向上させることができる。
【００３１】
また、パーティション取付構造１は、図示はしていないが、防犯の観点から、パーティション２が開くと作動するゼンマイベルなどの公知の警報手段を備えていてよい。
【００３２】
（固定面材２ｆ）
固定面材２ｆとしては、火災等不測の事態に備えて破壊し易い材質であればよく、例えば、ケイ酸カルシウム板などが挙げられる。
【００３３】
従来の固定型パーティションが設置された低層ないし中層マンションのバルコニーの補修工事等を行う際、通常、補修工事の初期工程で、マンションの外壁に仮足場を組んで固定型パーティションを取り外し、仮足場が撤去された補修工事の最終工程で、固定型パーティションを現状回復することになる。この固定型パーティションを取り外したり、取り付けたりする際、固定型パーティションの両側に作業員を配置する必要があり、上記初期工程では、作業員をバルコニーと仮足場上に配置することになるが、仮足場が撤去された上記最終工程においては、一方の作業員はバルコニーの手摺上に乗り移る必要があり、危険な作業であった。
そこで、従来の固定型パーティションの代わりに上述したようなパーティション取付構造を採用することで、片側からパーティション２の固定が可能となり、安全にバルコニーの補修工事等を行うことができる。
【符号の説明】
【００３４】
１              パーティションの取付構造
２              パーティション
３              取付金具
４              トルクヒンジ
５              固定金具
９              押え板
１０            引き抜き割れ板
１１、１０７    建物躯体壁
１２、１０５    手摺
１３            取付螺子
１４            イタズラ防止螺子
１００          全面開閉パーティション
１０１          枠体
１０２、１０３  ボード本体
１０４          ヒンジ
１０６          固定具
【図１】
0003177215.tif 000003
【図２】
0003177215.tif 000004
【図３】
0003177215.tif 000005
【図４】
0003177215.tif 000006
【図５】
0003177215.tif 000007
【図６】
0003177215.tif 000008
【図７】
0003177215.tif 000009
【図８】
0003177215.tif 000010
【図９】
0003177215.tif 000011